(57)【要約】【課題】照明器具の部材取付構造であって、反射鏡又はルーバー等の部材が脱落落下することを防止すると共に、施工時及びメンテナンス時の着脱容易性を確保する。【解決手段】照明器具本体１に拡開付勢力を持つキックばね１４を用いて反射鏡又はルーバー等の部材を着脱自在に取付けている。キックばね１４は、基端部が反射鏡又はルーバー等の部材に取付けられ、中間部が器具本体１に設けた係止具１６の係止溝１７に挿通され、先端部に係止溝１７からの抜け止めを図るリング部１８が設けられ、係止具１６にキックばね１４のリング部１８が係止溝１７から抜けるのを防止するための板状の抜け止めばね２１を取付けている。【選択図】図３
2006004829.tif 000002
【特許請求の範囲】
【請求項１】
照明器具本体に拡開付勢力を持つキックばねを用いて反射鏡又はルーバー等の部材を着脱自在に取付けてなり、前記キックばねは、その基端部が反射鏡又はルーバー等の部材に取付けられ、中間部が器具本体に設けた係止具の係止溝に挿通され、先端部に前記係止溝からの抜け止めを図る抜け止め部が設けられた照明器具の部材取付構造において、
前記係止溝の両側部に、それぞれ前記キックばねの抜け止め部よりも狭い隙間を形成するように、前記係止具に抜け止めばねを取り付け、
前記抜け止めばねは、前記キックばねの抜け止め部を前記係止溝の両側の隙間に挿入する際に変形して、前記隙間を拡大して、前記キックばねの抜け止め部の挿入を可能にし、前記キックばねを引き下げる際、前記係止具に当接して、前記係止溝の両側の隙間の拡大を阻止し、前記キックばねの抜け止め部が前記係止溝の両側の隙間から抜けるのを防止したことを特徴とする照明器具の部材取付構造。
【請求項２】
前記キックばねの抜け止め部がリング形状に形成されており、そのリング形状部が、該キックばねに横方向から荷重が加わったときに前記板又は線状のばねを押し下げて抜け止め作用が得られるようにしたことを特徴とする請求項１記載の照明器具の部材取付構造。
【請求項３】
前記板又は線状のばねの自由端側が、前記キックばねの取外し時に押圧操作により変形容易となるように前記係止具よりも突出して設けられていることを特徴とする請求項１又は請求項２に記載の照明器具の部材取付構造。
【発明の詳細な説明】
【技術分野】
【０００１】
本発明は、ダウンライト等の照明器具に用いられ、反射鏡又はルーバー等の配光制御部材をキックばねを用いて照明器具本体に着脱自在に取付ける部材取付構造に関する。
【背景技術】
【０００２】
従来、この種の照明器具の部材取付構造は、ランプ交換等のメンテナンス時の利便性のために採用され、反射鏡又はルーバー等の部材を略Ｖ字形状の拡開付勢力を持つばね（所謂、キックばね）でもって保持すると共に移動可能に構成している。
【０００３】
この種の取付構造において、照明器具本体（セード本体）に反射鏡又はルーバー等の部材を結合するに際し、キックばねを弾性に抗して両端部をすぼめるようにしてセード本体に設けた係止具の係止溝に挿入し、キックばねをすぼめる手指の力を緩めると、キックばね両端部が弾性により拡開して係止具の係止溝に係止した状態で該部材を上昇させ、セード本体に該部材を結合支持させるものがある（例えば、特許文献１参照）。
【特許文献１】実開平６−９００７号公報
【発明の開示】
【発明が解決しようとする課題】
【０００４】
このような従来のキックばねによる反射鏡又はルーバー等の部材の取付構造においては、該部材の引き上げ強度は設計的に配慮されていたが、抜け止めの観点からは不十分であった。上記特許文献１においても、キックばねが挿通する係止具の係止溝は、係止溝の中央部に突出片が設けられてキックばねの可動範囲を狭くするようになってはいるものの、一部が開口しており、キックばねが係止溝から抜け出して外れることがある。また、固定は確実ではあるものの、意匠面、利便性の面から、反射鏡又はルーバー等をネジにより固定することは避けていた。
【０００５】
さらには、照明器具の設置場所によっては、器具が強風にさらされることもあり、メンテナンス等で部材を引き下げた状態で、この外的環境による荷重、衝撃が加わって、キックばねにより取り付いた反射鏡又はルーバー等の部材が所定の位置からずれたような場合にも、これら部材が脱落落下することを防止すると共に、キックばね本来の着脱容易性を確保する必要があった。
【０００６】
本発明は、上記要請に応えるもので、反射鏡又はルーバー等の部材がメンテナンス等で引き下げられた状態で、強風などの環境要因により脱落して落下することを防止すると共に、施工時及びメンテナンス時の着脱容易性を確保可能な、照明器具の部材取付構造を提供することを目的とする。
【課題を解決するための手段】
【０００７】
照明器具本体に拡開付勢力を持つキックばねを用いて反射鏡又はルーバー等の部材を着脱自在に取付けてなり、前記キックばねは、その基端部が反射鏡又はルーバー等の部材に取付けられ、中間部が器具本体に設けた係止具の係止溝に挿通され、先端部に前記係止溝からの抜け止めを図る抜け止め部が設けられた照明器具の部材取付構造において、前記係止溝の両側部に、それぞれ前記キックばねの抜け止め部よりも狭い隙間を形成するように、前記係止具に抜け止めばねを取り付け、前記抜け止めばねは、前記キックばねの抜け止め部を前記係止溝の両側の隙間に挿入する際に変形して、前記隙間を拡大して、前記キックばねの抜け止め部の挿入を可能にし、前記キックばねを引き下げる際、前記係止具に当接して、前記係止溝の両側の隙間の拡大を阻止し、前記キックばねの抜け止め部が前記係止溝の両側の隙間から抜けるのを防止したものである。
【０００８】
請求項２の発明は、上記において、キックばねの抜け止め部がリング形状に形成されており、そのリング形状部が、該キックばねに横方向から荷重が加わったときに板又は線状のばねを押し下げて抜け止め作用が得られるようにしたものである。
【０００９】
請求項３の発明は、上記において、板又は線状のばねの自由端側が、キックばねの取外し時に押圧操作により変形容易となるように係止具よりも突出して設けられているものである。
【発明の効果】
【００１０】
請求項１の発明によれば、反射鏡又はルーバー等の部材を照明器具本体に取付けるためのキックばねを係止する係止具に、板又は線状のばねを取付けたので、キックばねの抜け止め部が係止溝から抜けるのを確実に防止することができ、従って、それら部材が脱落落下することを防止することができる。また、反射鏡又はルーバー等の部材を照明器具本体に取付けるときには、キックばねを抜け防止用の板又は線状のばねに押し当てることで、容易に装着することができる。また、該部材を照明器具本体から取り外すときは、抜け防止用の板又は線状のばねを作業者の手で押し上げることで容易に取り外すことができる。
【００１１】
請求項２の発明によれば、キックばねに横方向から荷重が加わっても、キックばねが係止具の係止溝から外れることがなくなる。
【００１２】
請求項３の発明によれば、キックばねの係止具への装着が容易となり、また、取外しも容易となる。
【発明を実施するための最良の形態】
【００１３】
以下、本発明の一実施形態に係る照明器具の部材取付構造について、図面を参照して説明する。図１は、照明器具の側面構成を、図２は同照明器具の図１とは９０度異なる角度での側断面であって、ランプ交換時の反射鏡の移動状態を示している。この照明器具は、枠状の照明器具本体１と、この照明器具本体１に取付枠（取付具）２を介在して水平面内で回転可能に設けられたランプ支持枠３と、このランプ支持枠３の天板４に設けられたソケット基板５上のソケット６と、このソケット６に口金がネジ込まれるランプ７と、照明器具本体１の下面開口位置に取付けられる反射鏡８（部材）などを備える。反射鏡８は、ルーバー等の部材を有していてもよい。なお、ランプ支持枠３は、取付枠２に一体的に設けられた支持板２ａに軸部材２ｂにより垂直面内で首振自在に支持され、これにより、ランプ７は傾き姿勢を任意に変更可能とされている。
【００１４】
照明器具本体１は、天井板１１の開口等に嵌め込まれ、係止具１２により係止される。反射鏡８は、拡開付勢力を持つ略Ｖ字形状の金属製のキックばね１４を用いて移動自在で着脱自在に取付枠２に取付けられ、ランプ７の交換時に、その作業が可能なように、図２の二点鎖線で示す位置に移動させることができる。キックばね１４は、その拡開付勢力により常時、反射鏡８に上向き付勢力を与えており、その基端部が反射鏡８に係止金具１５を介して取付けられ、中間部が矢視Ａで示す箇所で、取付枠２に設けた係止具１６（図３）の係止溝１７により抜け止め保持され、先端部に係止溝１７からの抜け止め用のリング部（抜け止め部）１８が設けられている。これにより、施工時及びメンテナンス時の着脱容易性を確保できる。
【００１５】
図３（ａ）は、上記矢視Ａ部分であって、キックばね１４が係止具１６の係止溝１７に挿通されている様子を示す。係止具１６は、Ｌ字状片が取付枠２の内方に突出して互いに向かい合うように一対設けられており、その対向片間に係止溝１７が形成されている。特に、本実施形態では、係止具１６に、キックばね１４のリング部１８が係止溝１７から抜けるのを防止するための板状の抜け止めばね２１を取付けている。この板状の抜け止めばね２１は、一端側が取付枠２に固定され、自由端側が、係止具１６のＬ字状対向片に一部重なり、キックばね１４が挿通するための隙間を残して係止溝１７を塞ぐような姿勢で設けられる。図３（ｃ）に示されるように、板状の抜け止めばね２１で塞がれていない係止溝１７の横寸法ｄは、キックばね１４のリング部１８の寸法よりも小さくされ、リング部１８の抜け止めが図られている。
【００１６】
図３（ｄ）に示したように、キックばね１４の装着時には、リング部１８が板状の抜け止めばね２１を矢印方向に押し上げることで装着され、取外し時には、板状の抜け止めばね２１を作業者が手で押し上げることで、取外しが可能となる。また、図３（ｂ）に示すように、板状の抜け止めばね２１に代えて、線状の抜け止めばね２１Ａを用いてもよい。
【００１７】
図４（ａ）（ｂ）は、キックばね１４が横方向荷重を受けたとき、リング部１８の形状によって抜け止め効果が異なることを説明するものである。同図（ａ）は、リング部１８が外側に曲げられている場合で、この場合、キックばね１４は板状の抜け止めばね２１を押し上げる。このため、抜け止め効果が若干弱い。一方、同図（ｂ）は、リング部１８が内側に曲げられている場合で、この場合、キックばね１４のリング部１８が板状の抜け止めばね２１を押し下げる。このため、抜け止め効果は大きい。これにより、反射鏡８又はルーバー等の部材が脱落落下することを防止する。
【００１８】
図５（ａ）（ｂ）は、キックばね１４の操作性を高めることが可能な実施形態を示す。同図（ａ）に示すように、キックばね１４のリング部の先端１８Ａを鋭角状に形成しておくことで、キックばね１４の係止具１６への取り付け時に係止溝１７への挿通を容易となる。また、同図（ｂ）に示すように、板状の抜け止めばね２１の自由端側を係止具１６よりも突出して設けておくことで、キックばね１４の取外し時に板状の抜け止めばね２１を押し上げ容易であり、操作性が良くなる。
【００１９】
ここで、上述のように板状の抜け止めばね２１を備えている本実施形態の構成と、板状の抜け止めばね２１を備えていない構成とのキックばね１４の抜け止め効果の違いを、図６を参照して説明する。図６（ａ）に示すように、板状の抜け止めばね２１を備えていない構成においては、図６（ｂ）に示すように、キックばね１４に下方向荷重が加わったときは、キックばね１４のリング部１８（直径Ｄ）が、係止具１６の係止溝１７から外れ難い。ところが、同図（ｃ）に示すように、キックばね１４に横方向荷重が加わったときは、リング部１８が係止具１６の係止溝１７から外れ易く、キックばね１４が落下する虞がある。その点、本実施形態では、板状の抜け止めばね２１を備えていることで、そのような問題は解消される。
【００２０】
本発明は、上記実施形態の構成に限られることなく、発明の趣旨を変更しない範囲で種々の変形が可能である。例えば、キックばね１４は略Ｖ字形状のものを示したが、拡開付勢力が得られるものであれば、任意の形状を採用し得る。また、キックばね１４を係止する係止具１６についても任意の形状を採用し得る。
【図面の簡単な説明】
【００２１】
【図１】本発明の一実施形態に係る照明器具の側面構成図。
【図２】同照明器具の図１とは９０度異なる角度での側断面図。
【図３】（ａ）は図２の矢視Ａ部分であって、キックばねが係止具の係止溝に挿通されている様子を示す斜視図、（ｂ）は板状のばねに代える線状のばねの斜視図、（ｃ）は図２の矢視Ａ部分の平面図、（ｄ）はキックばねの装着及び取外し時の動作を示す斜視図。
【図４】（ａ）（ｂ）は、キックばねが横方向荷重を受けたとき、リング部の形状によって抜け止め効果が異なることを説明する図。
【図５】（ａ）はキックばねの操作性を高めることが可能な実施形態によるキックばねの側面図、（ｂ）は同実施形態による板状のばね部分の斜視図。
【図６】板状のばねを備えていない構成でのキックばねの抜け止め効果を説明する図で、（ａ）は斜視図、（ｂ）（ｃ）は側面図。
【符号の説明】
【００２２】
１  セード本体（照明器具本体）
２  取付枠（取付具）
８  反射鏡（部材）
１４  キックばね
１６  係止具
１７  係止溝
１８  リング部（抜け止め部）
２１  板状の抜け止めばね
２１Ａ  線状の抜け止めばね
【図１】
2006004829.tif 000003
【図２】
2006004829.tif 000004
【図３】
2006004829.tif 000005
【図４】
2006004829.tif 000006
【図５】
2006004829.tif 000007
【図６】
2006004829.tif 000008